(57)【要約】      （修正有）【課題】結婚式の引き出物として、出席者にカタログ式ギフト用ファイル及び申込葉書が贈与され、受取人はカタログ式ギフト用ファイルの複数枚の商品カードの中から商品仕様、商品説明などの商品概要を検討して希望する商品を選び、選んだ商品の商品番号等を申込葉書に記入し、発売元に送付することになり、この段階で、カタログ式ギフト用ファイルは不要となるのであるが、カタログ式ギフト用ファイル内の商品カードを綴じ具により取り外し、各種のリフィルに取り替えることにより、カタログ式ギフト用ファイルを各種用途に使用可能なファイルとして再使用。【解決手段】複数枚の商品カードやリフィル３を綴じ具１ａに取替自在に綴着してなるカタログ式ギフト用ファイル１と、カタログ式ギフト用ファイルの複数枚の商品カードの中から選んだ商品を申し込む申込葉書４とからなる。【選択図】図４
0003109149.tif 000002
【実用新案登録請求の範囲】
【請求項１】
複数枚の商品カードやリフィルを綴じ具に取替自在に綴着してなるカタログ式ギフト用ファイルと、該カタログ式ギフト用ファイルの複数枚の商品カードの中から選んだ商品を申し込む申込葉書とからなることを特徴とするカタログ式ギフト用商品カタログ。
【請求項２】
上記商品カードは、カード体に商品の写真、商品番号、商品仕様、商品説明などの商品概要が印刷されてなることを特徴とする請求項１記載のカタログ式ギフト用商品カタログ。
【請求項３】
上記リフィルは、アドレス帳、ダイアリー帳、メモ帳等の帳票類であることを特徴とする請求項１又は２記載のカタログ式ギフト用商品カタログ。
【請求項４】
上記リフィルは、名刺、免許証、診察券、メンバーズカード、写真、各種メディア等の板状類を収納可能なポケットケースであることを特徴とする請求項１又は２記載のカタログ式ギフト用商品カタログ。
【考案の詳細な説明】
【技術分野】
【０００１】
本考案は例えば結婚式や新築祝い、受賞祝賀パーティ等において用いられるカタログ式ギフト用商品カタログに関するものである。
【背景技術】
【０００２】
従来、この種の結婚式において、お返し用ギフトとして、複数枚の商品カタログを箱の中に収納したカタログ式ギフトを受取人に渡し、受取人はこの商品カタログの中から選んだ商品を添付された申込葉書で発売元に申し込む方式のカタログ式ギフト販売方式が知られている。尚、複数枚の商品カタログを本にしたカタログ式ギフトアルバム構造のものも知られている。
【特許文献１】実用新案登録第３０９８２９６号
【考案の開示】
【考案が解決しようとする課題】
【０００３】
しかしながら上記従来構造の場合、受取人が商品を選んだのちは、カタログ式ギフトは不要となり、そのまま破棄されることになり、他に用途がなく、使用の融通性がないという不都合を有している。
【課題を解決するための手段】
【０００４】
本考案はこれらの不都合を解決することを目的とするもので、本考案のうちで、請求項１記載の考案は、複数枚の商品カードやリフィルを綴じ具に取替自在に綴着してなるカタログ式ギフト用ファイルと、該カタログ式ギフト用ファイルの複数枚の商品カードの中から選んだ商品を申し込む申込葉書とからなることを特徴とするカタログ式ギフト用商品カタログにある。
【０００５】
又、請求項２記載の考案は、上記商品カードは、カード体に商品の写真、商品番号、商品仕様、商品説明などの商品概要が印刷されてなることを特徴とするものであり、又、請求項３記載の考案は、上記リフィルは、アドレス帳、ダイアリー帳、メモ帳等の帳票類であることを特徴とするものであり、又、請求項４記載の考案は、上記リフィルは、名刺、免許証、診察券、メンバーズカード、写真、各種メディア等の板状類を収納可能なポケットケースであることを特徴とするものである。
【考案の効果】
【０００６】
本考案は上述の如く、請求項１記載の考案にあっては、例えば、結婚式の引き出物として、出席者にカタログ式ギフト用ファイル及び申込葉書が贈与され、受取人はカタログ式ギフト用ファイルの複数枚の商品カードの中から商品仕様、商品説明などの商品概要を検討して希望する商品を選び、選んだ商品の商品番号等を申込葉書に記入し、発売元に送付することになり、この段階で、カタログ式ギフト用ファイルは不要となるのであるが、カタログ式ギフト用ファイル内の商品カードを綴じ具により取り外し、各種のリフィルに取り替えることにより、カタログ式ギフト用ファイルを各種用途に使用可能なファイルとして再使用することができ、カタログ式ギフト用ファイルの使用の融通性を高めることができると共に付加価値を加えることができ、カタログ式ギフト用カタログの利便性を向上することができる。
【０００７】
又、請求項２記載の考案にあっては、上記商品カードは、カード体に商品の写真、商品番号、商品仕様、商品説明などの商品概要が印刷されているから、商品の選択が容易となると共に申し込みを容易に行うことができ、又、請求項３記載の考案にあっては、上記リフィルとして、アドレス帳、ダイアリー帳、メモ帳等の帳票類を用いることにより、オリジナルなシステム手帳を得ることができ、又、請求項４記載の発明にあっては、上記リフィルとして、名刺、免許証、診察券、メンバーズカード、写真、各種メディア等の板状類を収納可能な透明合成樹脂製のポケットケースを用いることにより、整理及び閲覧が容易な家庭用、オフィス用の等の収納整理ケースとしても用いることができ、用途の融通性を高めることができる。
【考案を実施するための最良の形態】
【０００８】
図１乃至図５は本考案の実施の形態例を示し、１はカタログ式ギフト用ファイルであって、複数枚の商品カード２・・・やリフィル３・・・が綴じ具１ａに取替自在に綴着されている。
【０００９】
４は申込葉書であって、申込先の発売元の住所や店名が印刷され、上記カタログ式ギフト用ファイル１の複数枚の商品カード２・・・の中から選んだ商品を記入する欄等が設けられている。
【００１０】
例えば、上記商品カード２・・・は、図２の如く、カード体２ａに商品の写真、商品番号、商品仕様、商品説明などの商品概要２ｂが印刷されている。
【００１１】
又、例えば、上記リフィル３・・・としては、図４の如く、市販されているアドレス帳、ダイアリー帳、メモ帳等の帳票類３ａが用いられ、又、図５の如く、名刺、免許証、診察券、メンバーズカード、写真、ＣＤ、ＭＯ、ＦＤ等の各種メディア等の板状類３ｃを収納可能な透明合成樹脂製のポケットケース３ｂが用いられ、更には、これら帳票類３ａやポケットケース３ｂの組み合わせが用いられることになる。
【００１２】
この実施の形態例は上記構成であるから、例えば、結婚式の引き出物として、出席者にカタログ式ギフト用ファイル１及び申込葉書４を箱Ｈに収納して贈与され、受取人はカタログ式ギフト用ファイル１の複数枚の商品カード２・・・の中から商品仕様、商品説明などの商品概要２ｂを検討して希望する商品を選び、選んだ商品の商品番号等を申込葉書４に記入し、発売元に送付することになり、この段階で、カタログ式ギフト用ファイル１は不要となるのであるが、カタログ式ギフト用ファイル１内の商品カード２・・・を綴じ具１ａにより取り外し、各種のリフィル３に取り替えることにより、カタログ式ギフト用ファイル１を各種用途に使用可能なファイルとして再使用することができ、カタログ式ギフト用ファイル１の使用の融通性を高めることができると共に付加価値を加えることができ、カタログ式ギフト用カタログの利便性を向上することができる。
【００１３】
又、この場合、上記商品カード２・・・は、カード体２ａに商品の写真、商品番号、商品仕様、商品説明などの商品概要２ｂが印刷されているから、商品の選択が容易となると共に申し込みを容易に行うことができ、又、上記リフィル３・・・として、アドレス帳、ダイアリー帳、メモ帳等の帳票類３ａを用いることにより、オリジナルなシステム手帳を得ることができ、又、上記リフィル３・・・として、名刺、免許証、診察券、メンバーズカード、写真、各種メディア等の板状類２ｃを収納可能な透明合成樹脂製のポケットケース３ｂを用いることにより、整理及び閲覧が容易な家庭用、オフィス用の収納整理ケースとしても用いることができ、用途の融通性を高めることができる。
【００１４】
尚、本考案は上記実施の形態例に限られるものではなく、カタログ式ギフト用ファイル１の形態や構造、リフィル３の形態等は適宜変更して設計される。
【００１５】
以上、所期の目的を充分達成することができる。
【図面の簡単な説明】
【００１６】
【図１】本考案の実施の形態例の斜視図である。
【図２】本考案の実施の形態例の斜視図でる。
【図３】本考案の実施の形態例の斜視図である。
【図４】本考案の実施の形態例の斜視図である。
【図５】本考案の実施の形態例の斜視図である。
【符号の説明】
【００１７】
１    カタログ式ギフト用ファイル
１ａ    綴じ具
２    商品カード
２ａ    カード体
２ｂ    商品概要
３    リフィル
３ａ    帳票類
３ｂ    ポケットケース
４    申込葉書
【図１】
0003109149.tif 000003
【図２】
0003109149.tif 000004
【図３】
0003109149.tif 000005
【図４】
0003109149.tif 000006
【図５】
0003109149.tif 000007